(57)【要約】  【課題】  配線ダクトの取付工程を簡素化し、作業効率を向上させる。  【解決手段】  配電盤１５の筐体１７の内面にプラスチック製の電線固定部材２５の基端部２６がネジ止めされている。この電線固定部材２５の中央部２８には、配線ダクト２０のダクト穴３２内に嵌入する円環状の嵌入突部３３が周設されている一方、先端部２９にはラッチバンド１０を用いてパワー電線７が結束固定されている。このうち嵌入突部３３は、ダクト穴３２の内周縁４４に係止する係止片を有し、内部に円盤状のダクト固定具４２が嵌めこまれている。  【選択図】  図１1
2005151733.tif 000002
【特許請求の範囲】
【請求項１】
電気設備を収納する配電盤の筐体内に、電気設備の制御用の配線を収納する配線ダクトを取り付ける配電ダクトの取付構造であって、
前記筐体の内面には、前記配線ダクトを支持する電線固定部材が固定されている一方、前記配線ダクトの外面には配線用のダクト穴が形成され、
前記電線固定部材は、前記ダクト穴内に嵌入する嵌入突部と、この嵌入突部の先端に形成されて前記ダクト穴の内縁に係止する係止片とを備え、
前記嵌入突部を前記ダクト穴内に嵌入させるとともに、前記係止片を前記ダクト穴の内縁に係止して、
前記電線固定部材に前記配線ダクトを固定することを特徴とする配線ダクトの取付構造。
【請求項２】
前記嵌入突部を、前記電線固定部材の外面に環状に立設するとともに、
前記嵌入突部内に嵌めこまれるダクト固定具を設けたことを特徴とする請求項１記載の配線ダクトの取付構造。
【請求項３】
前記嵌入突部を、前記電線固定部材の外面に環状に立設するとともに、前記嵌入突部の先端開口部を閉塞するダクト固定具を設け、
このダクト固定具の外縁に前記係止片に係合する係合部を形成したことを特徴とする請求項１記載の配線ダクトの取付構造。
【請求項４】
前記電線固定部材に前記配線ダクトの外面に当接するガイド部を設けたことを特徴とする請求項１〜３記載の配線ダクトの取付構造。
【請求項５】
前記電線固定部材を合成樹脂材により構成するとともに、
前記電線固定部材の前記嵌入突部と所定間隔をおいた位置に、固定バンドを巻回して電気設備の電源供給用の配線を結束したことを特徴とする請求項１〜４記載の配線ダクトの取付構造。
【請求項６】
前記電線固定部材は、前記固定バンドの巻回位置に前記固定バンドに係止する係止溝を有することを特徴とする請求項５記載の配線ダクトの取付構造。
【請求項７】
前記電線固定部材は、前記固定バンドの巻回位置に前記固定バンドを挿通する一対の挿通穴を有することを特徴とする請求項５記載の配線ダクトの取付構造。
【発明の詳細な説明】
【技術分野】
【０００１】
本発明は、配電盤内において電気設備の制御用の配線を内部に収納する配線ダクトの取付構造に関する。
【背景技術】
【０００２】
（１）本発明は、先行技術調査を行うことなく、公知・公用の配線ダクトの取付構造を基礎に開発した発明であり、出願人の知っている先行技術は公知文献発明ではなく、先行技術文献情報は存在しない。以下、公知・公用の配線ダクトの取付構造を説明する。
（２）一般に、配電盤内には、可変速装置（インバータ装置）、配線用遮断機、変圧器などの電気設備が収納されているとともに、ノイズ対策の観点から電気設備に電源を供給するパワー電線と、電気設備を制御する制御線とが分離して配線されている。
【０００３】
図８〜図１１に基づいて概略を説明すれば、前面が開口したボックス型の配電盤は、図８に示すように、左側面パネル１に凸状の折曲部２が形成されているとともに、この折曲部２に電線固定金具３及びＬ字金具４を介して、制御線５を集中配線する配線ダクト６が上下方向に沿って取り付けられている。
【０００４】
前記電線固定金具３は、三段に折曲形成されており、基端部が前記折曲部２にねじ止めされている一方、先端部にはパワー電線７を保持する樹脂製の電線保持具８がねじ止めされている。この電線保持具８は、金属製の前記電線固定金具８によってパワー電線７が損傷を受けることに鑑み用いられているものであって、図９に示すように、一対の貫通孔９が形成されている。
【０００５】
前記Ｌ字金具４は、図８に示すように、一端部が前記電線固定金具３の中央部にねじ１４を用いて固定されている一方、他端部が約９０度に折曲されて前記側面パネル１に対して垂直方向に延設されている。
【０００６】
前記配線ダクト６は、横断面コ字状のダクト本体１１と、このダクト本体１１の開口部を閉塞するダクトカバー１２とを備え、前記ダクト本体１１の底板が前記Ｌ字金具４の他端部にネジ１３を用いて固定されている。
【０００７】
そして、両貫通孔に図１０のラッチバンドを挿入結束して、図１１に示すように、パワー電線７を電線固定金具３の先端部に固定する一方、制御線５を配線ダクト６内に集中配線し、これにより両者５．７が分離配線されている。なお、配電盤の右側面パネルや上下面パネルにも同様の手段によりパワー電線７と制御線６とが分離配線されている。
【発明の開示】
【発明が解決しようとする課題】
【０００８】
しかしながら、従来は、パワー電線７と制御線５とが分離配線されているものの、配線ダクト６の取付作業に問題が生じていた。
【０００９】
すなわち、電線固定金具３とＬ字金具４とダクト本体１１とが、それぞれねじ止めを用いて、随所で固定されていることから、部品点数が多いばかりか、ねじ止め数が非常に多く、これにより取付工数が増加し、作業効率が悪化するおそれがあった。
【００１０】
また、ダクト本体１１をＬ字金具４に固定するねじ１３の頭部１４が露呈しているため、制御線５が損傷するおそれがある。そこで、ねじ１３の頭部１４をビニールテープにより保護する手段が採られているが、これでは作業工数が一層増加してしまう。
【００１１】
さらに、制御線５の本数が増加した場合には、大型の配線ダクト６に交換する必要があるが、長いＬ字金具１１に変更しなければならないため、交換作業が煩雑で迅速な交換が困難な場合があった。
【課題を解決するための手段】
【００１２】
本発明は、前記従来の問題を解決すべく発明されたものであって、請求項１記載の発明は、電気設備を収納する配電盤の筐体内に、電気設備の制御用の配線を収納する配線ダクトを取り付ける配電ダクトの取付構造であって、前記筐体の内面には、前記配線ダクトを支持する電線固定部材が固定されている一方、前記配線ダクトの外面には配線用のダクト穴が形成され、前記電線固定部材は、前記ダクト穴内に嵌入する嵌入突部と、この嵌入突部の先端に形成されて前記ダクト穴の内縁に係止する係止片とを備え、前記嵌入突部を前記ダクト穴内に嵌入させるとともに、前記係止片を前記ダクト穴の内縁に係止して、前記電線固定部材に前記配線ダクトを固定することを特徴としている。
【００１３】
したがって、配線ダクトは、前記両嵌入突部を前記ダクト穴内に嵌入するとともに、前記係止片を前記ダクト穴の内縁に係止させて、Ｌ字金具やねじ止めを用いずに、電線固定部材に直接に取り付けられる。
【００１４】
請求項２記載の発明は、前記嵌入突部を、前記電線固定部材の外面に環状に立設するとともに、前記嵌入突部内に嵌めこまれるダクト固定具を設けたことを特徴としている。
【００１５】
この発明によれば、ダクト固定具が嵌入突部内に嵌めこまれるため、ダクト固定具の外縁とダクト穴の内縁とによって嵌入突部が挟まれ、これによりダクト穴内縁と嵌入突部の組付強度が向上する。
【００１６】
請求項３記載の発明は、前記嵌入突部を、前記電線固定部材の外面に環状に立設するとともに、前記嵌入突部の先端開口部を閉塞するダクト固定具を設け、このダクト固定具の外縁に前記係止片に係合する係合部を形成したことを特徴としている。
【００１７】
この発明によれば、ダクト固定具の係合部が係止片に係合するため、係止片とダクト固定具の係合部とが重なり合ってダクト穴の内縁に係止し、これによりダクト穴の内縁に対する組付強度が向上する。
【００１８】
請求項４記載の発明は、前記電線固定部材に前記配線ダクトの外面に当接するガイド部を設けたことを特徴としている。
【００１９】
したがって、配線ダクトの外面をガイド部に当接させながら、電線固定部材に取り付けることができ、配線ダクトの位置決めが容易となる。また、配線ダクトの外面にガイド部が当接しているため、取付後は配線ダクトのぐらつきも防止される。
【００２０】
請求項５記載の発明は、前記電線固定部材を合成樹脂材により構成するとともに、前記電線固定部材の前記嵌入突部と所定間隔をおいた位置に、固定バンドを巻回して電気設備の電源供給用の配線を結束したことを特徴としている。
【００２１】
ここでは電気設備の電源供給用の配線（パワー電線）が、ノイズ対策の観点から電気設備の制御用の配線（制御線）と分岐配線されている。すなわち、制御用の配線（制御線）を配線ダクト内に集中配線する一方、電源供給用の配線（パワー電線）が金属による損傷を受けることなく、固定バンドを用いて合成樹脂製の電線固定部材に直接的に結束固定される。この固定バンドには、例えば、従来のラッチバンドや、所定長さに切断されたエンドレスバンドなどを用いることができる。
【００２２】
請求項６記載の発明は、前記電線固定部材は、前記固定バンドの巻回位置に前記固定バンドに係止する係止溝を有することを特徴としている。
【００２３】
したがって、固定バンドを係止溝に係止させつつ、電線固定部材に巻回することができる。
【００２４】
請求項７記載の発明は、前記電線固定部材は、前記固定バンドの巻回位置に前記固定バンドを挿通する一対の挿通穴を有することを特徴としている。
【００２５】
したがって、固定バンドを挿通穴に挿通させて、電線固定部材に巻回することができる。
【発明の効果】
【００２６】
請求項１記載の発明によれば、配線ダクトは、Ｌ字金具やねじ止めを用いることなく、電線固定部材に取り付けられることから、部品点数が減少するとともに、ねじ止めの作業が省略される。したがって、作業工数が大幅に減少し、配線ダクトの取付作業が簡素化され、この点で作業効率が向上する。
【００２７】
また、配線ダクトは、ねじ止めを用いることなく、電線固定部材に取り付けられるため、従来のようにねじの頭部をビニールテープにより保護する必要がなく、この点でも作業工数が減少する。
【００２８】
さらに、Ｌ字金具が不要になるため、部品管理が容易になるとともに、大型の配線ダクトに交換するときの作業効率も向上し、これにより配線ダクト内の制御線が増加した場合に、迅速に交換することができる。
【００２９】
請求項２記載の発明によれば、ダクト固定具の外縁とダクト穴の内縁とによって嵌入突部が挟まれるため、ダクト穴内縁と嵌入突部の組付強度が向上し、これにより配線ダクトを電線固定部材に強固に取り付けることができる。
【００３０】
請求項３記載の発明によれば、係止片とダクト固定具の係合部とが重なり合ってダクト穴の内縁に係止するため、ダクト穴の内縁に対する組付強度が向上し、これにより配線ダクトを電線固定部材に強固に取り付けることができる。
【００３１】
請求項４記載の発明によれば、配線ダクトの位置決めが容易になるため、この点でも作業効率が向上する。また、配線ダクトのぐらつきが防止されるため、安定性も向上する。
【００３２】
請求項５記載の発明によれば、電線固定部材が合成樹脂製なため、電源供給用の電線（パワー電線）を直接結束固定しても、損傷のおそれがなく、これにより従来の電線保持具が不要になり、この点で部品点数が減少し、取付作業が簡素化される。
【００３３】
請求項６記載の発明によれば、固定バンドを係止溝に係止させつつ、電線固定部材に巻回可能なため、固定バンドの横滑が防止され、これにより電源供給用の配線（パワー電線）の脱落が防止される。
【００３４】
請求項７記載の発明によれば、固定バンドを挿通穴に挿通させて電線固定部材に巻回可能なため、固定バンドの横滑りや脱落が防止され、これにより電源供給用の配線（パワー電線）の脱落が防止される。
【発明を実施するための最良の形態】
【００３５】
図６および図７は、本発明が適用される配電盤の一例を示している。この配電盤１５内には、外部設備と電気的に接続される変速装置（インバータ装置）、配線用遮断機、変圧器などの電気設備１６が配置収納されている。
【００３６】
この配電盤１５の筐体１７は、所定形状の鋼板を曲げ加工して各部を溶接してボックス状に形成され、前面に開口部１８が広く開放されているとともに、この開口部１８を開閉する扉１９が取り付けられている。
【００３７】
具体的には、前記筐体１７は、壁面などに固定される長方形状の背面パネル２２と、この背面パネル２３の上下端部に配置された一対の長方形状の上下面パネル２１と、前記背面パネル２４の左右端部に配置された一対の長方形状の両側面パネル２２と、この上下面パネル２１および両側面パネル２２の内面に取り付けられて、電気設備１６の制御用の制御線５を収納する配線ダクト２０とを有している。
【００３８】
以下、本発明の実施形態を、前記左側面パネル２２に対する前記配線ダクト２０の取付例に基づき説明するが、前記右側面パネル２３・前記上下面パネル２１にも同様な手段を用いて、前記配線ダクト２０が取り付けられている。
（１）第１実施形態
図１〜図３は、本発明の第１実施形態に係る配電盤の取付構造を示し、前記左側面パネル２２は、幅方向の所定箇所が横断面凸状に折曲形成されているとともに、この折曲部２４が長手方向に連続している。この折曲部２４の複数箇所には、前記配線ダクト２０を支持するプラスチック製の電線固定部材２５がねじ止めされている。
【００３９】
この電線固定部材２５は、三段に折り曲げられた段差状に形成され、前記折曲部２４にねじ止めされる基部２６と、この基部２６の一側端から斜め上方向に折り曲げられた傾斜部２７と、この傾斜部２７の一側端に前記基部２６と水平に折り曲げられた中央部２８と、この中央部２８の一側端から斜め上方に折り曲げられた先端部２９とを有している。
【００４０】
前記電線固定部材２５の中央部２８には、先端部２９側に前記配線ダクト２０のコーナー部３０の外面に当接するガイド部３１が立設されているとともに、このガイド部３０の前記基端部２６側には所定の距離をおいて、前記配線ダクト２０の外周のダクト穴３２内に嵌入する一対の弾性変形可能な円環状の嵌入突部３３が周設されている。
【００４１】
この嵌入突部３３は、縦断面Ｔ字状に形成され、前記中央部２８の外周面に垂直に立設された脚部３４と、この脚部３４の先端に全周に亙って周設された係止片３５とを備えている。この係止片３５は、前記電線固定部材２５の中央部２８とほぼ平行に形成されているとともに、内周部３６と外周部３７とが前記脚部３４から突出している。
【００４２】
前記電線固定部材２５の先端部２９は、従来のラッチバンド１０（固定バンド）巻回して、電気設備１６の電源供給用のパワー電線７が結束固定されているとともに、ラッチバンド１０の巻回位置の一側端には、図３に示すように、前記ラッチバンドを係止する凹状の係止溝３９が形成されている。このパワー電線７の結束には、前記ラッチバンド１０のほか、例えば所定長さに切断されたエンドレスバンドなどを用いることもできる。
【００４３】
前記配線ダクト２０は、図１および図２に示すように、内部に電気設備の制御用の制御線５が集中配線され、横断面コ字状のダクト本体４０と、このダクト本体４０の開口部を閉塞するダクトカバー４１と、前記ダクト本体４０の底板および側板の外面に円形に貫通形成されて制御線を出し入れする複数のダクト穴３０と、前記嵌入突部３３の脚部３４内に嵌め込まれる円盤状のダクト固定具４３とを有している。
【００４４】
前記ダクト穴３０の内径は、前記脚部３４の内径と同等に設定されている一方、前記係止片３５の外周部３７の外径よりも小さく設定されている。したがって、前記脚部３４が前記ダクト穴３０内に嵌入するとともに、前記係止片３５の外周部３７が前記ダクト穴３０の内周縁４４に係止している。
【００４５】
前記ダクト固定具４３の外径は、図２に示すように、前記脚部３４の内径と同等に設定されている一方、前記係止片３５の内周部３６の内径よりも大きく設定されている。したがって、前記ダクト固定具４３は、前記脚部３４内に嵌めこまれているとともに、前記係止片３５の内周部３６が前記ダクト固定具４３の外周縁４３ａに係止し、これによりダクト固定具４３の抜けが防止されている。これと同時に、ダクト固定具４３の外周縁４３ａとダクト穴３０の内周縁４４とによって嵌入突部３３の脚部３４が挟まれ、これによりダクト穴３０の内周縁４４と嵌入突部３３とが強固に組付くようになっている。
【００４６】
したがって、配線ダクト２０を左側面パネル２３に取り付けるには、まず、折曲部２４の上下方向の所定位置に、複数毎の電線固定部材２５の基端部２６をねじ止めして、左側面パネル２３に各電線固定部材２５を固定する。
【００４７】
つぎに、ダクト本体４０のコーナー部３０の外面をガイド部３１の内側面に当接させつつ、ダクト穴３０の内周縁４４に係止片３５を当てて、係止片３５を内方向に弾性変形させ、嵌入突部３３の脚部３４および係止片３５をダクト穴３０内に嵌入させる。
【００４８】
このときダクト本体４０のコーナー部３０の外面にガイド部３１の内側面が当接するため、配線ダクト２０のぐらつきが防止される。また、ダクト本体４０のコーナー部３０の外面をガイド部３１の内側面に当接させつつ、電線固定部材２５に取付可能なため、ダクト本体４０の位置決めが容易であり、この点で取付作業が容易となる。
【００４９】
そして、係止片３５は、ダクト穴３０内への嵌入後に形状が復元するため、ダクト穴３０の内周縁４４に係止し、これによりダクト本体４０が各電線固定部材２５の中央部２８に取り付けられる。
【００５０】
この係止片３５をダクト穴３０の内周縁４４に係止させた後に、ダクト固定具４３を嵌入突部３３の脚部３４内に嵌め込むとともに、ダクト固定具４３とダクト穴３０の内周縁４４とで嵌入突部３３の脚部３４を挟み、これにより嵌入突部３３の脚部３４とダクト穴３０の内周縁４４との組付性が向上し、ダクト本体４０が電線固定部材２５の中央部２８に強固に取り付けられる。
【００５１】
したがって、ダクト本体４０は、従来のＬ字金具４やねじ１３．１４を用いることなく、電線固定部材２５に直接取り付けられ、この結果、部品点数が減少するとともに、ねじ止めの作業が省略され、これにより作業工数が大幅に減少し、配線ダクトの取付作業が簡素化され、作業効率が格段に向上する。
【００５２】
また、ダクト本体４０は、従来のねじ１３を用いることなく、電線固定部材２５に取り付けられることから、ねじ１３の頭部１５をビニールテープにより保護する必要がなく、この点でも作業工数が減少する。
【００５３】
さらに、Ｌ字金具４が不要になるため、部品管理が容易になるとともに、大型の配線ダクト２０に交換するときにＬ字金具４を交換する必要がなく、交換作業の効率が向上し、これにより配線ダクト２０内の制御線５が増加した場合に、大型の配線ダクト２０に迅速に交換することができる。
【００５４】
このように電線固定部材２５にダクト本体４０を取付けた後に、制御線５とパワー電線７とが分岐配線される。すなわち、制御線５をダクト本体４０内に集中配線して、ダクト本体４０の開口部をダクトカバー４１で閉塞する一方、ラッチバンド１０を係止溝３９に係止した状態で巻回して、パワー電線７を電線固定部材２５の先端部２９に直接に結束固定する。
【００５５】
この場合に、電線固定部材２５は、プラスチック製なため、パワー電線を損傷させることがなく、この結果、従来の電線保持具８が不要になり、この点でも部品点数が減少し、かつ取付作業が簡素化される。また、ラッチバンド１０は、係止溝３９に係止しているため、横滑りに起因する抜けが防止され、これによりパワー電線７の脱落が防止される。
（２）第２実施形態
図４は、本発明の第２実施形態に係る配線ダクトの取付構造を示し、前記係止片３５の内周部３６が省略されている一方、前記ダクト固定具４３が、横断面キャップ状に形成されている。
【００５６】
前記ダクト固定具４３は、図４に示すように、前記係止片３５の開口部を閉塞する円形の固定具本体４５と、この固定具本体４５の外周縁に内側に向かって折曲形成された係合部４６とを有し、この係合部４６は、前記係止片３５の外周部３７に外側から重なり合って、前記ダクト穴の内周縁に係止している。
【００５７】
したがって、本実施形態においても、ダクト穴３０の内周縁４４に対する組付強度が向上し、これにより第１実施形態と同様に、ダクト本体４０が電線固定部材２５の中央部２８に強固に取り付けることができる。
（３）その他
なお、本発明は、上記各実施形態に限定されるものではなく、例えば前記ダクト固定具４３を用いることなく、前記ダクト穴３０の内周縁４４に対する前記係止片３５の外周部３７の係止のみによっても、ダクト本体４０を電線固定部材２５の中央部２８に取り付けることができる。
【００５８】
また、第１実施形態において、前記嵌入突部３３の脚部３４の内周面に凹溝を周設し、前記ダクト固定具４３を前記嵌入突部３３の脚部３４内に嵌め込むと同時に前記凹溝に前記ダクト固定具４３の外周部３７を取付けることもできる。この場合には、前記ダクト固定具４３の脚部３４に対する組付強度が向上し、前記ダクト固定部４３の抜けが防止される。
【００５９】
さらに、前記係止溝３９を廃止して、前記電線固定部材２５の先端部２９における前記ラッチバンド１０の巻回位置に、図５に示すように、前記ラッチバンド１０を挿通係止する挿通穴４７を形成することもできる。
【００６０】
この場合には、前記ラッチバンド１０を前記係止穴４７内に挿通係止した状態のまま、前記電線固定部材２５の先端部２９にラッチバンド１０を巻回して、パワー電線７が結束固定される。したがって、前記ラッチバンド１０の横滑りや脱落が防止され、これにより前記パワー電線７の脱落が防止される。
【図面の簡単な説明】
【００６１】
【図１】本発明の第１実施形態に係る配線ダクトの取付構造を示す横断面図。
【図２】同  ダクト固定具の取り付けを示す横断面図。
【図３】同  電線固定部材の先端部の斜視図。
【図４】本発明の第２実施形態に係る配線ダクトの取付構造を示す横断面図。
【図５】本発明に係る電線固定部材の先端部の他例を示す斜視図。
【図６】本発明の一実施形態に係る配電盤の斜視図。
【図７】図６のＡ−Ａ線断面図。
【図８】従来例の横断面図。
【図９】電線保持具の斜視図。
【図１０】ラッチバンドの斜視図。
【図１１】従来例のパワー電線の固定状態図。
【符号の説明】
【００６２】
５…制御線（電気設備の制御用の配線）
７…パワー電線（電気設備の電源供給用の配線）
１０…ラッチバンド（固定バンド）
１５…配電盤
１６…電気設備
１７…筐体
２０…配線ダクト
２５…電線固定部材
３０…コーナー部
３１…ガイド部
３２…ダクト穴
３３…嵌入突部
３５…係止片
３９…係止溝
４３…ダクト固定具
４６…係合部
４７…挿通穴
【図１】
2005151733.tif 000003
【図２】
2005151733.tif 000004
【図３】
2005151733.tif 000005
【図４】
2005151733.tif 000006
【図５】
2005151733.tif 000007
【図６】
2005151733.tif 000008
【図７】
2005151733.tif 000009
【図８】
2005151733.tif 000010
【図９】
2005151733.tif 000011
【図１０】
2005151733.tif 000012
【図１１】
2005151733.tif 000013